(57)【要約】【課題】各種電子機器の遠隔操作に用いられるリモコン送信機に関し、放電防止用のシートが外れにくく、電池の消耗防止が確実なものを提供することを目的とする。【解決手段】電池７と電極８の間に挟持されたシート１２に、ホルダー６へ当接する係止部１２Ａを設けることによって、所定の力で変形可能な係止部１２Ａがホルダー６へ当接して、放電防止用のシート１２が保持されているため、保管・搬送時にシート１２が外れにくく、電池７の消耗防止が確実なリモコン送信機を得ることができる。【選択図】  図１
2004281318.tif 000002
【特許請求の範囲】
【請求項１】
操作部及びこの操作部の操作によってリモコン信号を送信する制御回路が形成された筐体と、この筐体内に挿抜可能に収納されたホルダーと、このホルダーに装着され上記制御回路の電極が弾接する円盤状の電池と、この電池と上記電極の間に挟持されたシートからなり、上記シートに上記筐体またはホルダーへ当接する係止部を設けたリモコン送信機。
【請求項２】
係止部を孔または切欠きとした請求項１記載のリモコン送信機。
【発明の詳細な説明】
【０００１】
【発明の属する技術分野】
本発明は、テレビやビデオ、エアコン等の各種電子機器の遠隔操作に用いられるリモコン送信機に関するものである。
【０００２】
【従来の技術】
近年、テレビやビデオ、エアコン等の各種電子機器の小型化・軽量化が進むなか、これらを遠隔操作するリモコン送信機においても、円盤状の釦型電池を用いて薄型化・軽量化を図った、所謂カード型のものが多く使用されている。
【０００３】
このような従来のリモコン送信機について、図４及び図５を用いて説明する。
【０００４】
図４は従来のリモコン送信機の断面図、図５は同分解斜視図であり、同図において、１は絶縁樹脂製の下筐体、２は同じく絶縁樹脂製の上筐体で、下筐体１の右側面に開口孔１Ａが形成されると共に、下筐体１と上筐体２内には、上下面に複数の導電パターン（図示せず）が形成された配線基板３が収納されている。
【０００５】
そして、この配線基板３の上下面には、発光ダイオードやマイコン等の電子部品（図示せず）が実装されて、赤外線等のリモコン信号を送信する制御回路４が形成されると共に、下面には弾性ゴム製の操作体５が載置され、この操作体５の複数の操作部５Ａが、上筐体２下面から上下動可能に突出している。
【０００６】
また、６は絶縁樹脂製のホルダー、７は円盤状の所謂ボタン型の電池で、電池７を装着したホルダー６が、開口孔１Ａから下筐体１内に挿抜可能に収納されると共に、制御回路４に接続された導電金属製の電極８の一端が電池７下面に弾接している。
【０００７】
さらに、電池７と電極８の間には、絶縁フィルム等のシート９が挟持され、このシート９によって電池７と電極８の電気的接触が遮断されて、リモコン送信機が構成されている。
【０００８】
なお、このシート９は、図５に示すように、配線基板３や操作体５を下筐体１と上筐体２内に収納して組立てた後、開口孔１Ａから下筐体１内へ、電池７を装着したホルダー６と共に挿入される。
【０００９】
そして、シート９によって電池７と電極８の電気的接触が遮断され、電池７が放電し消耗しないようにした状態で保管・搬送が行われ、リモコン送信機を使用する場合には、右端を持ってシート９を引抜くと、電池７が電極８へ弾接し、制御回路４に電源が供給されて使用可能な状態となる。
【００１０】
以上の構成において、このリモコン送信機を電子機器に向け、例えば、電源用や音量切換用等の所定の操作部５Ａを押圧操作すると、これらに対応した赤外線のリモコン信号が制御回路４から電子機器へ送信され、これによって電子機器の電源の入／切や音量の増減等が遠隔操作できるように構成されているものであった。
【００１１】
なお、この出願の発明に関連する先行技術文献情報としては、例えば、特許文献１が知られている。
【００１２】
【特許文献１】
特開平１０−２８４０３０号公報
【００１３】
【発明が解決しようとする課題】
しかしながら、上記従来のリモコン送信機においては、電池７の放電防止用のシート９が、電池７と電極８の間に挟持され、電極８の弾性力によって保持されているだけであるため、リモコン送信機の保管・搬送時に外れ易く、電池の消耗が生じ易いという課題があった。
【００１４】
本発明は、このような従来の課題を解決するものであり、放電防止用のシートが外れにくく、電池の消耗防止が確実なリモコン送信機を提供することを目的とする。
【００１５】
【課題を解決するための手段】
上記目的を達成するために本発明は、以下の構成を有するものである。
【００１６】
本発明の請求項１に記載の発明は、電池と電極の間に挟持されたシートに、筐体またはホルダーへ当接する係止部を設けてリモコン送信機を構成したものであり、所定の力で変形可能な係止部が筐体またはホルダーへ当接して、放電防止用のシートが保持されているため、保管・搬送時にシートが外れにくく、電池の消耗防止が確実なリモコン送信機を得ることができるという作用を有する。
【００１７】
請求項２に記載の発明は、請求項１記載の発明において、係止部を孔または切欠きとしたものであり、プレス加工や切断加工によって、シートの外形加工時に同時に係止部を形成できるため、シートを安価に製作することができるという作用を有する。
【００１８】
【発明の実施の形態】
以下、本発明の実施の形態について、図１〜図３を用いて説明する。
【００１９】
なお、従来の技術の項で説明した構成と同一構成の部分には同一符号を付して、詳細な説明を簡略化する。
【００２０】
（実施の形態）
図１は本発明の一実施の形態によるリモコン送信機の断面図、図２は同分解斜視図であり、同図において、１１はポリスチレンやＡＢＳ等の絶縁樹脂製の下筐体、２は同じく絶縁樹脂製の上筐体で、下筐体１１の右側面に開口孔１１Ａが形成されると共に、下筐体１１と上筐体２内には、紙フェノールやガラス入りエポキシ等の、上下面に複数の導電パターン（図示せず）が形成された配線基板３が収納されている。
【００２１】
そして、この配線基板３の上下面には、発光ダイオードやマイコン等の電子部品（図示せず）が実装されて、赤外線等のリモコン信号を送信する制御回路４が形成されると共に、下面には弾性ゴム製の操作体５が載置され、この操作体５の複数の操作部５Ａが、上筐体２下面から上下動可能に突出している。
【００２２】
また、６はポリオキシメチレンやＡＢＳ等の絶縁樹脂製のホルダー、７は円盤状の所謂ボタン型の電池で、電池７を装着したホルダー６が、開口孔１１Ａから下筐体１１内に挿抜可能に収納されると共に、制御回路４に接続された導電金属製の電極８の一端が電池７下面に弾接している。
【００２３】
さらに、電池７と電極８の間には、ポリエステルフィルム等のシート１２が挟持され、このシート１２によって電池７と電極８の電気的接触が遮断されると共に、シート１２に切欠きによって設けられた舌片状の係止部１２Ａが、下筐体１１の開口孔１１Ａに設けられた突起部１１Ｂによって上方へ折曲し、端部をホルダー６内側壁へ当接させて、リモコン送信機が構成されている。
【００２４】
なお、このシート１２は、従来の技術の場合と同様に、配線基板３や操作体５を下筐体１１と上筐体２内に収納して組立てた後、開口孔１１Ａから下筐体１１内へ、電池７を装着したホルダー６と共に挿入される。
【００２５】
そして、シート１２によって電池７と電極８の電気的接触が遮断され、電池７が放電し消耗しないようにした状態で、リモコン送信機の保管・搬送が行われるが、このシート１２は電極８の弾性力による保持に加え、上記のように、舌片状の係止部１２Ａ端部がホルダー６内側壁へ当接しているため、軽い力で引張るくらいでは簡単に外れないように構成されている。
【００２６】
また、リモコン送信機を使用する場合には、右端を持ってシート１２を強く引張ると、この力によって舌片状の係止部１２Ａが左方向へ変形して、シート１２が引抜かれ、電池７が電極８へ弾接し、制御回路４に電源が供給されて使用可能な状態となる。
【００２７】
以上の構成において、このリモコン送信機を電子機器に向け、例えば、電源用や音量切換用等の所定の操作部５Ａを押圧操作すると、これらに対応した赤外線のリモコン信号が制御回路４から電子機器へ送信され、これによって電子機器の電源の入／切や音量の増減等が遠隔操作によって行われる。
【００２８】
このように本実施の形態によれば、電池７と電極８の間に挟持されたシート１２に、ホルダー６へ当接する係止部１２Ａを設けることによって、所定の力で変形可能な係止部１２Ａがホルダー６へ当接して、放電防止用のシート１２が保持されているため、保管・搬送時にシート１２が外れにくく、電池７の消耗防止が確実なリモコン送信機を得ることができるものである。
【００２９】
また、係止部１２Ａを切欠きや孔で形成することによって、プレス加工や切断加工により、シート１２の外形加工時に同時に係止部１２Ａを形成できるため、シートを安価に製作することができる。
【００３０】
なお、以上の説明では、舌片状の係止部１２Ａを突起部１１Ｂによって上方へ折曲し、端部をホルダー６内側壁へ当接させた構成として説明したが、図３（ａ）の斜視図に示すように、舌片状の係止部１２Ｂを予め折曲させた構成としてもよい。
【００３１】
さらに、図３（ｂ）に示すように、シート１２端部に一対の切欠きによって係止部１２Ｃを形成し、これに下筐体１１に設けた突出部１１Ｃを当接させたり、図３（ｃ）に示すように、シート１２中間部に上方へ突出するドーム状の係止部１２Ｄを形成し、これを下筐体１１またはホルダー６へ当接させたり、或いは、図３（ｄ）に示すように、略鍵形の係止部１２Ｅを略三角形の突出部１１Ｄに嵌め込んだりするようにしても、本発明の実施は可能である。
【００３２】
【発明の効果】
以上のように本発明によれば、放電防止用のシートが外れにくく、電池の消耗防止が確実なリモコン送信機を得ることができるという有利な効果が得られる。
【図面の簡単な説明】
【図１】本発明の一実施の形態によるリモコン送信機の断面図
【図２】同分解斜視図
【図３】同斜視図
【図４】従来のリモコン送信機の断面図
【図５】同分解斜視図
【符号の説明】
２  上筐体
３  配線基板
４  制御回路
５  操作体
５Ａ  操作部
６  ホルダー
７  電池
８  電極
１１  下筐体
１１Ａ  開口孔
１１Ｂ  突起部
１１Ｃ，１１Ｄ  突出部
１２  シート
１２Ａ，１２Ｂ，１２Ｃ，１２Ｄ，１２Ｅ  係止部
【図１】
2004281318.tif 000003
【図２】
2004281318.tif 000004
【図３】
2004281318.tif 000005
【図４】
2004281318.tif 000006
【図５】
2004281318.tif 000007